(57)【特許請求の範囲】
【請求項１】
遊技盤に形成した貫通孔に配設された遊技機用表示装置であって、
遊技球が飛び込む上室と下室とに内部を区分して形成されるとともに、これらの上室と下室とを隔てる隔壁は後方に向かうに従って下がるように傾斜していて当該隔壁の後方部分には上室と下室と連通させる遊技球の落下口を形成し、
上記下室は箱状に閉塞された空間となっているとともに、前面中央部分には上記遊技盤の正面に向かってスクリーンを配設してあり、かつ、この奥の上方部分で上記落下口を介して上室と連通しているとともに、この落下口の奥側から当該下室の内部に向けて透明の樹脂板を配設しつつ、同樹脂板の下端は下室の底壁に沿って前方に向けて湾曲してあり、同底壁は前方に向かうに従って下がるように傾斜し、
上記下室における樹脂板の後方に配置されて上記スクリーン上に上記樹脂板を透過した投影光を投影させるプロジェクタとを具備することを特徴とする遊技機用表示装置。
【請求項２】
上記請求項１に記載の遊技機用表示装置において、上記プロジェクタは、上記映像として三列の絵合わせの図柄を投影するものであり、上記落下口には落下位置を特定する仕切りを形成して上記図柄の各列に沿って影が流れ落ちるようにしてあることを特徴とする遊技機用表示装置。
【発明の詳細な説明】
【０００１】
【産業上の利用分野】
本発明はパチンコ機における遊技盤の中央に配設して使用する遊技機用表示装置に関する。
【０００２】
【従来の技術】
従来、この種の遊技機用表示装置として、液晶表示器を例えばパチンコ機の遊技盤の中央に配設し、同液晶表示器に絵合わせの図柄などを表示するものが知られている。以下パチンコ機を例にとって説明する。
【０００３】
【発明が解決しようとする課題】
遊技盤の設計上、中央の表示エリアの大きさは任意に変更したいという要求があるが、特にカラーの液晶表示器などは製造上の歩溜りが悪いため、コスト面から任意の大きさのものを採用しにくい。従って、液晶表示器の大きさを優先させなければ、遊技機用表示装置の設計を行なうことができない。
【０００４】
一方、絵合わせの図柄を表示するにあたり、より面白みを増す工夫が要望されているが、遊技球の落下の偶然性などを利用した変化で表示を行なわせるようなものはなかった。
本発明は、上記課題にかんがみてなされたもので、設計の自由度を向上させるとともに表示の面白みを増すことが可能な遊技機用表示装置の提供を目的とする。
【０００５】
【課題を解決するための手段】
上記目的を達成するため、請求項１にかかる発明は、遊技盤に形成した貫通孔に配設された遊技機用表示装置であって、遊技球が飛び込む上室と下室とに内部を区分して形成されるとともに、これらの上室と下室とを隔てる隔壁は後方に向かうに従って下がるように傾斜していて当該隔壁の後方部分には上室と下室と連通させる遊技球の落下口を形成し、上記下室は箱状に閉塞された空間となっているとともに、前面中央部分には上記遊技盤の正面に向かってスクリーンを配設してあり、かつ、この奥の上方部分で上記落下口を介して上室と連通しているとともに、この落下口の奥側から当該下室の内部に向けて透明の樹脂板を配設しつつ、同樹脂板の下端は下室の底壁に沿って前方に向けて湾曲してあり、同底壁は前方に向かうに従って下がるように傾斜し、上記下室における樹脂板の後方に配置されて上記スクリーン上に上記樹脂板を透過した投影光を投影させるプロジェクタとを備えた構成としてある。
また、請求項２にかかる発明は、上記請求項１に記載の遊技機用表示装置において、上記プロジェクタは、上記映像として三列の絵合わせの図柄を投影するものであり、上記落下口には落下位置を特定する仕切りを形成して上記図柄の各列に沿って影が流れ落ちるようにした構成としてある。
【０００６】
【作用】
上記のように構成した請求項１にかかる発明においては、遊技盤の正面方向に向けて所望の大きさのスクリーンを配設する一方で、プロジェクタが上記スクリーンの大きさにあわせて映像を造影させる。通常は、プロジェクタの映像がそのまま造影されているが、上記スクリーンとプロジェクタとの間の流下経路を遊技球が流下すると、遊技球が造影光を遮ってしまうため、スクリーン上には映像の一部が欠けて遊技球の影が映し出される。
特に、遊技球が球除け板の下方で開口している上室内に飛び込んでくると、この遊技球は傾斜した隔壁上を奥に向かって転がり、落下口を介して下室内に入り、樹脂板に沿って落下する。このとき、プロジェクタの投影光は当該樹脂板を透過してスクリーンに達しており、遊技球は樹脂板に沿って落下するときに同投影光を遮る。すると、スクリーン上には遊技球が落下するときの影が投影される。
この結果、表示されている絵合わせなどの図柄を円形の影が通過して一時的に消すように表示され、面白みが増す。
また、上記のように構成した請求項２にかかる発明においては、図柄が三列の絵合わせである場合に、落下口に仕切りを形成して落下位置を特定し、各列に沿って影が流れ落ちるので、表示されている各列の図柄を円形の影が通過して一時的に消すように表示され、面白みが増す。
【０００７】
【発明の効果】
以上説明したように本発明は、遊技盤には所望の大きさで造影させることができるため、設計上の自由度を向上させることが可能であるとともに、映像とともに遊技球の影が表示されてスクリーン上の映像に面白みを増すことが可能な遊技機用表示装置を提供することができる。
【０００８】
【実施例】
以下、図面にもとづいて本発明の実施例を説明する。
図１は、本発明の一実施例にかかる遊技機用表示装置を適用したパチンコ機の正面図、図２は同遊技機用表示装置の斜視図、図３は同遊技機用表示装置の断面図である。
図において、遊技盤１０の中央には貫通孔を形成してあり、当該貫通孔を貫通するようにしてスクリーンユニット２０を配設している。スクリーンユニット２０は内部を上室２１と下室２２とに区分して形成されており、両者を隔てる隔壁２３は後方に向かうに従って下がるように傾斜しているとともに、当該隔壁２３の後方部分には上室２１と下室２２と連通させる落下口２４を形成している。なお、上室２１における遊技盤１０との開口部分は上記隔壁２３上面にてテラス状に形成されており、当該開口部分の上方にはひさし状の球除け板２５を形成している。
【０００９】
下室２２は箱状に閉塞された空間となっており、前面中央部分には遊技盤１０の正面に向かって４インチのスクリーン２６を配設している。奥の上方部分で落下口２４を介して上室２１と連通しており、この落下口２４の奥側から当該下室２２の内部に向けて透明の樹脂板２７を配設している。同樹脂板２７の下端は下室２２の底壁２８に沿って前方に向けて湾曲してあり、同底壁２８は前方に向かうに従って下がるように傾斜している。下室２２の前端には図示しない入賞口へと連通するガイド孔２９を形成してあり、底壁２８の前端はこのガイド孔２９に接している。
【００１０】
下室２２の樹脂板２７の後方にはプロジェクタ３０が配設されている。同プロジェクタ３０は、前方から複数枚のレンズを組み合わせた光学系３１と、１．７インチの透過型のＴＦＴ方式カラー液晶表示器３２と、ランプ３３とを列状に配設して構成されており、ランプ３３がＴＦＴ方式カラー液晶表示器３２の裏面から光を照射することにより光学系３１を介して同ＴＦＴ方式カラー液晶表示器３２の映像をスクリーン２６に造影させる。なお、このとき投影光は透明の樹脂板２７を透過してスクリーン２６に到達している。
次に、上記構成からなる本実施例の作用を説明する。
【００１１】
遊技盤１０に配置するスクリーンユニット２０の大きさが決まったら、それにあわせてスクリーン２６の大きさを決める。本実施例においては、４インチのものが適切であったとする。スクリーン２６に応じて拡大率が決まるので、適切な拡大率に応じた光学系３１を選択し、予め、スクリーンユニット２０の後方部分のプロジェクタ３０を組み付けておく。
一体に組み付けられたスクリーンユニット２０を遊技盤１０の中央に形成した貫通孔に固定したら、ランプ３３を点灯させると、１．７インチのＴＦＴ方式カラー液晶表示器３２の画像（例えば、絵合わせの図柄など）は光学系３１を介して拡大されてスクリーン２６上に造影される。なお、設計において、３インチのスクリーン２６を使用する必要が生じたとすれば、３インチのスクリーン２６に合わせて画像が造影されるように適切な拡大率の光学系３１に変更すればよい。
【００１２】
遊技球が遊技盤１０上を落下してくると、釘に衝突して跳ね返り、一部が球除け板２５の下方で開口している上室２１内に飛び込んでくる。この遊技球は傾斜した隔壁２３上を奥に向かって転がり、落下口２４を介して下室２２内に入り、樹脂板２７に沿って落下するが、プロジェクタ３０の投影光は当該樹脂板２７を透過してスクリーン２６に達しており、遊技球は樹脂板２７に沿って落下するときに同投影光を遮ることになる。すると、スクリーン２６上には遊技球が落下するときの影が投影される。すなわち、表示されている絵合わせなどの図柄を円形の影が通過して一時的に消すように表示され、面白みが増す。
【００１３】
樹脂板２７に沿って底壁２８まで落下して遊技球は、当該底壁２８に沿って前方に転がっていき、ガイド孔２９を介して入賞口へと落ちていく。
このように、スクリーンユニット２０は縦二段に上室２１と下室２２とが重ね合わせて構成されており、下室２２の前面には遊技盤１０の正面に向かってスクリーン２６を配設してあり、後方にはプロジェクタ３０を配設している。プロジェクタ３０とスクリーン２６との間の投影経路には上室２１に入り込んだ遊技球が落下する透明の樹脂板２７を配設してあり、投影光は当該樹脂板２７を透過してスクリーン２６に達している。遊技球が上室２１に入り込むと落下口２４に導かれて投影経路を通過するため、スクリーン２６上に落下する遊技球の影が表示される。
【００１４】
なお、上述した実施例においては、落下口２４が上室２１と下室２２の横幅分だけの広さとなっており、任意の位置で落下して図柄上に影が表示される。しかし、図柄が三列の絵合わせであるような場合には、落下口２４に仕切りを形成して落下位置を特定し、各列に沿って影が流れ落ちるようにすることもできる。また、本実施例においては、プロジェクタにＴＦＴ方式カラー液晶表示器を使用しているが、他のタイプの液晶表示器を使用したり、他の形式の投影方式とすることもできる。さらに、使用するランプ３３の光源の大きさや発熱などに対応するためコンデンサーレンズや光学フィルタを使用してもよい。また、スクリーンユニット２０の前面にスクリーン２６を配設しているが、パチンコ機を面のガラス面にスクリーン２６を配設するようにしても良い。その他、スクリーンユニット２０は遊技盤１０と面一としてスクリーン２６の前面にも遊技球が流下するようにすることができる。
以上、パチンコ機を例にとって説明したが他の遊技機に適用できる。
【図面の簡単な説明】
【図１】本発明の一実施例にかかる遊技機用表示装置を適用したパチンコ機の正面図である。
【図２】遊技機用表示装置の斜視図である。
【図３】遊技機用表示装置の断面図である。
【符号の説明】
２０…スクリーンユニット
２１…上室
２２…下室
２３…隔壁
２４…落下口
２６…スクリーン
２７…樹脂板
２８…底壁
３０…プロジェクタ
３１…光学系
３２…ＴＦＴ方式カラー液晶表示器
３３…ランプ
【図１】
0003794028.tif 000002
【図２】
0003794028.tif 000003
【図３】
0003794028.tif 000004